(57)【要約】【課題】本発明は、照明装置を備えて暗所等での利用を可能としながら、表示部の厚みを薄くできるようにした構成の提供を目的とする。【解決手段】本発明は、光源１５と、該光源１５からの光を側端面から内部に導入し、内部を伝搬する光を出射面から出射させる導光板１２とを備え、導光板１２の表裏面の各々に出射面１２ｃ、１２ｄが形成されるとともに、各出射面に導光板内部の伝搬光を反射させて表面側の出射面及び裏面側の出射面から光を出射させるためのプリズム部１４が形成されたことを特徴とする。【選択図】　図４
2004127622.tif 000002
【特許請求の範囲】
【請求項１】
光源と、該光源の光を側端面から内部に導入し、内部を伝搬する前記光を出射面から出射させる導光板とを備え、
前記導光板の表裏面の各々に出射面が形成されるとともに、前記各出射面に前記導光板内部の伝搬光を反射させて前記表面側の出射面及び裏面側の出射面から光を出射させるためのプリズム部が形成されたことを特徴とする照明装置。
【請求項２】
前記プリズム部が前記出射面に形成された複数の突条により構成され、前記突条が急斜面部と緩斜面部からなる断面三角型に形成され、前記急斜面部が前記伝搬光の反射面とされてなることを特徴とする請求項１に記載の照明装置。
【請求項３】
光源と、該光源の光を側端面から内部に導入し、内部を伝搬する前記光を出射面から出射させる導光板と、該導光板の表裏両面側に配置された液晶パネルを備え、
前記導光板の表裏面の各々に出射面が形成されるとともに、前記各出射面に前記導光板内部の伝搬光を反射させて前記表面側の出射面及び裏面側の出射面から光を出射させるためのプリズム部が形成されたことを特徴とする液晶表示装置。
【請求項４】
前記プリズム部が前記出射面に形成された複数の突条により構成され、前記突条が急斜面部と緩斜面部からなる断面三角型に形成され、前記急斜面部が前記伝搬光の反射面とされてなることを特徴とする請求項３に記載の液晶表示装置。
【請求項５】
前記導光板が前記液晶パネルのバックライトとされたことを特徴とする請求項３又は４に記載の液晶表示装置。
【請求項６】
上記液晶パネルが、透過型又は半透過型とされてなることを特徴とする請求項３〜５のいずれかに記載の液晶表示装置。
【請求項７】
請求項３〜７のいずれかに記載の液晶表示装置を表示部に備えたことを特徴とする携帯型情報端末機器。
【発明の詳細な説明】
【０００１】
【発明の属する技術分野】
本発明は、両面照明が可能な照明装置、並びに、折り畳み可能な携帯電話やＰＤＡ等に用いて好適な両面表示可能な液晶表示装置及びこの液晶表示装置を備えた携帯型情報端末機器に関する。
【０００２】
【従来の技術】
近年、携帯電話機やＰＤＡ等の携帯型情報端末機器の分野では、表示装置を搭載して文字や画像或いは映像等の情報を表示可能なものが市販されおり、このような表示装置として、明るい屋外でも見やすく、又、消費電力を低減可能な反射型或いは半透過反射型の液晶表示装置を備えたものが広く用いられている。
また、このような携帯型情報端末機器の中でも特に携帯電話機の分野では、表示部が大きく且つコンパクトに収納可能な折り畳み式のものが普及している。
このような折り畳み式の携帯電話機では、通常、表示装置を内蔵した上部筐体と入力用キーボード等が備えられた下部筐体とがヒンジ部により連結され、携帯電話機を折り畳んだ状態で表示面が内側に収納されるようになっている。
【０００３】
ところで、上述のような折り畳み式の携帯電話機では、折り畳み状態において表示面が内側に隠れた状態となるため、折り畳み状態でも時刻情報やメールの着信情報等を確認できるように、携帯電話機の外装面側に補助表示部が設けられたものが多く採用されている。
このように上部筐体の内面側及び外装面側に表示面を設ける構造としては、例えば主表示部及び補助表示部毎に別個の透過型液晶パネルを設けた構造（特許文献１参照）が提案されている。この表示装置では、図１０に示すように、バックライト１００を挟んでその両側に主表示用の透過型液晶パネル１０１と補助表示用の透過型液晶パネル１０２とが一枚ずつ設けられており、液晶パネル１０１、１０２は別々のドライバにより駆動されるようになっている。
【０００４】
また、他の構造として、例えば一枚の液晶パネルの一面側を主表示部とし、他面側を補助表示部とする構造（特許文献２参照）が提案されている。この表示装置では、図１１に示すように、一枚の液晶パネル１１０の表示領域が主表示領域１１１と補助表示領域１１２との二つの領域に分けられ、各領域１１１、１１２において観察者側から見て液晶パネル１１０の背面側に反射層１１３、１１４が設けられている。この構造により、外光反射を利用した薄型且つ低消費電力な表示部を実現することができる。
【０００５】
更に、他の構造として、例えば主表示領域及び補助表示領域に対してそれぞれバックライトを設けた構造（特許文献３参照）が提案されている。この表示装置では、図１２に示すように、一枚の透過型液晶パネル１２０の表示領域が主表示領域１２１と補助表示領域１２２の二つの領域に分けられ、各領域１２１、１２２において観察者側から見て液晶パネル１２０の背面側にバックライト１２３、１２４がそれぞれ設けられている。これにより、液晶パネル１２０の枚数を一枚としながら、バックライト１２３、１２４によって明るい表示が得られるようになっている。
【０００６】
【特許文献１】
特開２００１−２９０４４５号公報
【特許文献２】
特開平１０−１９８２９１号公報
【特許文献３】
特開２００１−２９８５１９号公報
【０００７】
【発明が解決しようとする課題】
しかしながら、バックライト１００の両面側に透過型の液晶パネル１０１、１０２を一枚ずつ設けた図１０に示す構成では、バックライト１００の表裏両面側からそれぞれ透過型の液晶パネル１０１、１０２に光を照射する必要があるので、表面側と裏面側にそれぞれ発光可能な平面型の発光部を設け、発光部の表面側と裏面側に光学シートを配置して液晶パネル１０１、１０２を照明するという構造を採用しているので、上下両方に光を照射するためのバックライト１００の消費電力が極めて大きくなるという欠点があった。
また、主表示領域１１１と補助表示領域１１２とが共に反射型液晶表示装置とされた図１１に示す構成では、十分な外光を得られない暗所等での使用が困難であり、屋内外や暗所での使用を前提とする携帯型情報端末機器用途には不向きである。
更に、液晶パネル１２０の両面側にバックライト１２３、１２５を設けた図１２に示す構成では、バックライト２個分の消費電力を必要とするとともに、バックライト１２３、１２４が厚いものである場合に表示部全体の厚みが厚くなり易く、薄型化が難しいという課題があった。
【０００８】
本発明は、上述の課題に鑑み創案されたもので、照明装置を備えて暗所等での利用を可能としながら、低消費電力にできるようにした、照明装置及び液晶表示装置と携帯型情報端末機器を提供することを目的とする。
また本発明は、照明装置を備えて暗所等での利用を可能としながら、低消費電力にできるようにするとともに、薄型化にも対応可能な照明装置及び液晶表示装置と携帯型情報端末機器を提供することを目的とする。
【０００９】
【課題を解決するための手段】
本発明の照明装置は前述の目的を達成するために、光源と、該光源の光を側端面から内部に導入し、内部を伝搬する前記光を出射面から出射させる導光板とを備え、前記導光板の表裏面の各々に出射面が形成されるとともに、前記各出射面に前記導光板内部の伝搬光を反射させて前記表面側の出射面及び裏面側の出射面から光を出射させるためのプリズム部が形成されたことを特徴とする。
導光板の表裏にプリズム部を形成したので、光源からの光を導光板の表側と裏側の両方に照射することができる。よって１枚の導光板により表裏２方向側の照明ができる。
【００１０】
本発明の照明装置は前述の目的を達成するために、前記のプリズム部が前記出射面に形成された複数の突条により構成され、前記突条が急斜面部と緩斜面部からなる断面三角型に形成され、前記急斜面部が前記伝搬光の反射面とされてなることを特徴とする。
光源からの入射光を導光板を介して外部に照射する場合、導光板表裏面に形成するプリズム部において急斜面部と緩斜面部とを具備する断面三角型のプリズム部の急斜面部の反射作用によって確実に導光板表側と導光板裏側の両方に光を照射できる。
【００１１】
本発明の液晶表示装置は前述の目的を達成するために、光源と、該光源の光を側端面から内部に導入し、内部を伝搬する前記光を出射面から出射させる導光板と、該導光板の表裏両面側に配置された液晶表示パネルを備え、前記導光板の表裏面の各々に出射面が形成されるとともに、前記各出射面に前記導光板内部の伝搬光を屈折又は反射させて前記表面側の出射面及び裏面側の出射面から光を出射させるためのプリズム部が形成されたことを特徴とする。
導光板の表裏にプリズム部を形成したので、光源からの光を導光板の表側と裏側の両方に照射することができ、これによって導光板両側の液晶パネルにそれぞれ光を照射することができる。従って１枚の導光板により２枚の液晶パネルの照明ができる。また、２枚の液晶パネルを用いた両面表示機能を発揮させることができる。更に、光源からの入射光を１つの導光板で２つに分けるので、光源を有効活用して２つの表示形態のいずれも明るい表示とすることができるので、省電力かつ小型化した液晶表示装置とすることができる。また、表面側の液晶パネルを照明するための光源と裏面側の液晶パネルを照明するための光源とを別個に設ける構造よりも薄型化が可能となる。
【００１２】
本発明の液晶表示装置は前述の目的を達成するために、前記プリズム部が前記出射面に形成された複数の突条により構成され、前記突条が急斜面部と緩斜面部からなる断面三角型に形成され、前記急斜面部が前記伝搬光の反射面とされてなることを特徴とする。
光源からの入射光を導光板により外部に照射する場合、導光板表裏面に形成するプリズム部において急斜面部と緩斜面部とを具備する断面三角型のプリズム部の急斜面部の反射作用によって確実に導光板表側と導光板裏側の両方に光を照射できるので、２枚の液晶パネルを確実に照明できる。
【００１３】
本発明の液晶表示装置は前述の目的を達成するために、前記導光板が前記液晶パネルのバックライトとされたことを特徴とする。
本発明の液晶表示装置は前述の目的を達成するために、前記の液晶パネルが、透過型又は半透過型とされてなることを特徴とする。
１枚の導光板により透過型の液晶パネルあるいは半透過型の液晶パネルのいずれであっても裏側から照明することができ、透過表示あるいは半透過表示のいずれの液晶パネルでも照明できる。
【００１４】
本発明の携帯型情報端末機器は前述の目的を達成するために、先のいずれかに記載の液晶表示装置を表示部に備えたことを特徴とする。
先の構成の照明による両面表示可能な液晶パネルを備えた携帯型情報端末機器であるならば、１枚の導光板を有効に活用して照明可能な両面表示が可能な表示形態の携帯型情報端末機器を提供できる。また、光源からの入射光を導光板で２つに分けるので、少ない光源を有効活用して２つの表示形態のいずれでも明るい表示を得ることができる。
【００１５】
【発明の実施の形態】
［第１実施形態］
図１は本発明の第１実施形態に係る携帯型情報端末機器の一例としての携帯電話機の表面側を示す斜視図、図２は同携帯電話機の裏面側を示す斜視図、図３は同携帯電話機の表示部の要部断面図、図４は同表示装置の拡大断面図、図５〜図８は同表示装置のバックライト部分の説明図である。なお、以下の全ての図面においては、図面を見やすくするため、各構成要素の膜厚や寸法の比率などは適宜異ならせて表示してある。
【００１６】
図１に示すように、本実施形態の携帯電話機１は、表示部を備えた上部筐体１ａと、ダイヤル操作を行なうための入力用のキーボード１ｋ等が備えられた下部筐体１ｂとがヒンジ部１ｃにより開閉自在に、即ち折り畳み自在に連結された構造となっている。
前記上部筐体１ａには、図３に示すように、両面表示可能な表示装置２が内蔵されており、上部筐体１ａの内面１ｄ側（折り畳んだ状態での内面側）に、後述する表示装置２の表示領域に対応する位置に主表示用の表示窓１ｅが設けられ、上部筐体１ａを展開した状態において各種情報を表示できるようになっている。また、上部筐体１ａの外装面１ｇ側（折り畳んだ状態での外側）には、後述の第２表示領域２ｂに対応する位置に補助表示用の表示窓１ｈが設けられており、上部筐体１ａを閉じて（折り畳んで）主表示窓１ｅが隠れた状態であっても使用者が表示窓１ｈを介して第２表示領域２ｂを利用して時刻表示、時計表示、位置情報表示等の各種の情報を容易に把握できるようになっている。なお、この形態においては表示装置２を保護するために、各表示窓１ｅ、１ｈにはそれぞれ透明な板状の保護カバー１ｆ、１ｇが備えられている。
【００１７】
この実施形態において適用されている表示装置２は、図３、図４に示されるように、第１の液晶パネル（表示パネル）２０Ａ及び第２の液晶パネル（表示パネル）２０Ｂと、これらの液晶パネル２０Ａ、２０Ｂの間に挟まれて配置されたバックライト（照明装置）１０とを備えて構成されている。
液晶パネル２０Ａ、２０Ｂはこの実施形態では透過型あるいは半透過型のものであり、液晶層２３を挟持して対向するガラスなどからなる透明の第１の基板２１と、透明の第２の基板２２をシール材２４で接合一体化して概略構成されている。前記第１の基板２１および第２の基板２２の液晶層２３側には、表示回路層２６、２７がそれぞれ形成されている。
なお、本明細書では、表示装置２を構成する各部材の液晶層２３側の面を「内面」といい、それと反対側の面を「外面」という。
【００１８】
前記表示回路層２６および２７は、図示されていないが液晶層２３を駆動するための透明導電膜等からなる電極層や液晶層２３の配向を制御するための配向膜等を含むものである。また、表示回路層２６、２７には液晶の駆動形態が単純マトリクスタイプの場合では短冊状の透明電極と配向膜が設けられるが、液晶駆動形式がアクティブマトリクス型の場合は、画素電極に加えて画素駆動用の薄膜トランジスタあるいは薄膜ダイオード等の駆動素子が画素毎に設けられ、これらの駆動用の各種配線が設けられるが、液晶の駆動形態について本発明では特に問わないものとする。
なお、本実施形態の液晶表示ユニット２０Ａ、２０Ｂは、カラー表示を行うためのカラーフィルタを設けていない白黒表示タイプの液晶表示ユニットとして記載されているが、カラーフィルタを別途設けてカラー表示可能な構造としても良いのは勿論である。その場合は、表示回路層２６、２７に加えてカラーフィルタ層を基板２２側あるいは基板２１側に設け、カラー表示が可能な構造とする。
【００１９】
前記バックライト１０は透明な導光板１２と光源装置１３とから概略構成されている。バックライト１０において、光源装置１３は、導光板１２に光を導入する側の側端面１２ａ側に配設されている。
前記導光板１２は、上記液晶パネル２０Ａ、２０Ｂのそれぞれの背面側（各基板２２の観察方向から見て裏側）に配置されて光源装置１３から入射された光を液晶パネル２０に照射するものであり、平板状の透明なアクリル樹脂板などから構成されている。
図５、図６に示すように導光板１２の一側の端面１２ａ（以下、入射面１２ａと称する）には光源装置１３が配設されており、光源装置１３から出射される光が入射面１２ａを介して導光板１２の内部に導入され伝搬されるようになっている。導光板１２の上面と下面は、ほぼ全面がプリズム面１２ｃ、１２ｄとされており、これらのプリズム面１２ｃ、１２ｄは光の出射面も兼ねるように構成されている。
前記導光板１２を構成する材料としてはアクリル系樹脂のほか、ポリカーボネート系樹脂、エポキシ樹脂などの透明な樹脂材料や、ガラスなどを用いることができる。また、具体的な例を挙げるならば、特に限定されるものではないが、アートン（商品名：ＪＳＲ社製）や、ゼオノア（商品名：日本ゼオン社製）などを好適な材料として挙げることができる。
【００２０】
前記導光板１２の光の出射面を兼ねるプリズム面１２ｃ、１２ｄは、液晶パネル２０Ａ、２０Ｂと対向配置されて液晶パネル２０Ａ、２０Ｂをいずれも裏側から照明するための光が出射される面であり、例えば、表面部分の粗さ（Ｒａ）が１０ｎｍ以下の平滑な面とされ、部分的に後述する形状のプリズム部１４が形成されている。
これらのプリズム面１２ｃ、１２ｄには、導光板１２の内部を伝搬する光を反射させて伝搬方向を変えるために、三角波状のプリズム部１４が、平面視したときにストライプ状となるように、所定のピッチで複数形成されている。これらのプリズム部１４は、導光板１２の中心線（厚さ半分を規定する平面が描く線）に対して傾斜して形成された緩斜面部１４ａと、この緩斜面部１４ａに連続して形成され、緩斜面部１４ａよりも急な傾斜角度で形成された急斜面部１４ｂとからなる断面非対称形状とされてなり、それぞれのプリズム部１４の形成方向は、導光板１２の入射面１２ａに対してほぼ平行か若干傾斜してに延在するように揃えられている。
【００２１】
図６は前記導光板１２の一部を拡大して示す側面図である。図６において符号１９Ａ、１９Ｂは、導光板１２の内部を伝搬する光の伝搬経路の例を示す。図示左側に配置された光源装置１３から出射された光１９Ａ、１９Ｂは、導光板１２の内面で反射されながら導光板１２の内部を伝搬し、その一部は導光板１２の出射面ともなるプリズム面１２ｃ、１２ｄから導光板１２の外部に出射されるようになっている。
なお、光源装置１３から導光板１２側に入射される光は図６の矢印に示すような平行光に限らず、種々の入射角度成分をもった拡散光の形態で入射されるのが一般的である。
導光板１２内における光の伝搬経路は、プリズム部１４を構成している緩斜面部１４ａの傾斜角θ１、急斜面部１４ｂの傾斜角θ２、およびプリズム部１４のピッチＰＴによって変化し得る。したがって、これらの傾斜角θ１およびθ２ならびにピッチＰＴを適宜設定することによって、出射面となるプリズム面１２ｃ、１２ｄの面内における出射光量の均一性を向上させ、表示に輝線や不均一な明暗が生じるのを防止することができるとともに、プリズム面１２ｃ、１２ｄから出射される光が最大となる方向角度を所望の範囲に制御することも可能である。
【００２２】］
例えば、得ようとする液晶パネル２０Ａ、２０Ｂの表示画面を様々な角度から観察したときに最も明るく見える角度（視角）、すなわち表示画面において輝度が最大となる視角が、表示画面の法線に対して視覚上下方向±１０°の範囲内となるように設定したい場合には、急斜面部１４ｂの傾斜角θ２を、４０°以上５０°以下、例えば４３゜前後とすることが好ましい。同様に緩斜面部１４ａの傾斜角θ１は１．８゜〜２．５゜の範囲、例えば２゜前後とすることが好ましい。
また、プリズム部１４のピッチＰＴは、小さいほどバックライト１０から出射される光量が低下し、液晶パネル２０Ａ、２０Ｂの輝度が低下する。一方、ピッチＰＴが大きすぎると、導光板１２に輝線が生じてバックライト１０としての輝度にムラが生じ易いとともに、該ピッチＰｒが小さすぎるとプリズム部１４の数が多すぎて液晶パネル２０Ａ、２０Ｂが見え難くなるので好ましくない。したがって、プリズム部１４のピッチＰＴは、１２０μｍ以上、２５０μｍ以下の範囲と設定するのが好ましい。
【００２３】
更に、この形態のバックライト１０にあっては、図６に示すように光源装置１３からの入射光をプリズム面１２ｃの急斜面部１４ｂにより反射して図６の光１９Ａに示すように図６の上方側に向けて反射すると同時に、プリズム面１２ｄの急斜面部１４ｂにより反射して図６の光１９Ｂに示すように下方側に向けて反射するので、バックライト１０の上下両方向側、即ち表裏面側に光を照射することができる。なお、プリズム面１２ｃ側の急斜面部１４ｂから反射させた光１９Ａをプリズム面１２ｄ側の急斜面部１４ｂで反射して戻さないように、かつ、プリズム面１２ｄ側の急斜面部１４ｂから反射させた光１９Ｂをプリズム面１２ｃ側の急斜面部１４ｂで反射して戻さないように、プリズム面１２ｃ側の急斜面部１４ｂとプリズム面１２ｄ側の急斜面部１４ｂの上下位置は適宜ずらしておくことが好ましい。
【００２４】
光源装置１３は、図５と図７に示すように、アクリル系樹脂やポリカーボート系樹脂などからなる四角柱状の中間導光体（バー導光体）１３Ａと、この中間導光体１３Ａの長手方向両端に配設されたＬＥＤからなる光源（発光素子）１５とから構成されている。前記中間導光体１３Ａの側面のうち、導光板１２と反対側の面には、三角凹凸部を有するプリズム面１３ｄが形成されており、発光素子１５から中間導光体１３Ａ内に導入された光をこのプリズム面１３ｄで反射させて導光板１２側へ伝搬方向を変え、導光板１２の入射面１２ａに発光素子１５からの光を効率良く導光板１２側へ照射するように構成されている。なお、先のプリズム面１３ｄには光反射効率を向上させるための金属膜等の光反射膜が被覆されていることが好ましい。
【００２５】
発光素子１５は、図９に示すように基板３５と、基板３５の中央部に配列形成されたＬＥＤ（発光ダイオード；発光体）１５Ｒ、１５Ｇ、１５Ｂと、これらのＬＥＤを覆って形成された透明樹脂製の集光レンズ（集光手段）３７と、集光レンズ３７の両側方の基板３５上に形成された電源端子３６、３６とを備えて構成され、図示前面側（ＬＥＤが配設された側）に向けて発光できるように構成されている。また、図示されていないが、発光体１５Ｒ、１５Ｇ、１５Ｂのそれぞれの発光強度を制御するための信号端子も基板３５上に設けられている。発光体１５Ｒ、１５Ｇ、１５Ｂはそれぞれ赤、緑、青の発光色を有するダイオードとされており、これらのＬＥＤの発光強度比を制御することで、集光レンズ３７内で加法混色するとともに、レンズ３７により集光された光をバー導光体１３Ａの端面側に照射できるようになっている。このような構成の発光素子１５を備えることで、本実施形態のフロントライトはその照明光を青色、緑色、青色の各３色又は白色に制御することが可能とされている。
【００２６】
次に、前記導光板１２の端部とバー導光体１３Ａと光源１５とを覆ってこれらを一体的に組み合わせ保持するためのカバー部材２５が導光板１２の端部側に設けられている。
このカバー部材２５は、図８に示すようにバー導光体１３Ａと、その両端の発光素子１５、１５と、導光板１２におけるバー導光体１３Ａ側の側端部を覆って配設された断面略コ字型の光反射性金属からなる部材である。このカバー部材２５は、導光板１２の一方の出射面側（図８の下面側）に配置された部位である反射面カバー部２５ａと、導光板１２の他方の出射面側（図８の上面側）に配置された部位である出射面カバー部２５ｂと、これらの基端部に接続されるとともにバー導光体１３の反射面１３ｄと対向して配置された導光体カバー部２５ｃとを備えて構成されている。また、導光板１２の端部から突出されている発光素子１５を覆うために、発光素子１５の外面側（バー導光体１３Ａと対向する面と反対側の面）と対向するように外面カバー部２５ｄと、発光素子１５の導光板１２側の側面を覆う側面カバー部（図示せず）が形成されている。これら外面カバー部２５ｄと側面カバー部は、それぞれ反射面カバー部２５ａ、出射面カバー部２５ｂ、導光体カバー部２５との間に間隙が形成されないように形成されることが好ましい。
【００２７】
次に、本実施形態の表示装置２の照明方法並びに携帯電話機２の使用方法について説明する。
まず、バックライト１０の光源装置１３の発光素子１５から発光させて導光板１２の入射面１２ａに照明光を入射すると、照明光の一部は全反射により導光板１２の内部を伝播し、伝播の途中で複数の急斜面部１４ｂにより液晶パネル２０Ａ側あるいは液晶パネル２０Ｂ側に向けて出射される。この出射光は各液晶パネル２０Ａ、２０Ｂの液晶層２３によって光変調されてから観察者に到達する。これによりバックライト１０の照明光を利用して液晶パネル２０Ａ、２０Ｂの透過表示が行われる。
即ち観察者は、携帯電話機１を開いた状態において、図３に示す携帯電話機１の表示窓１ｅの外側から液晶パネル２０Ａの表示領域に表示された各種情報を読み取ることができ、勿論、表示窓１ｈの外側からも液晶パネル２０Ｂの表示領域に表示された各種情報を読み取ることができる。また、携帯電話機１を閉じた状態においても表示窓１ｈの外側から液晶パネル２０Ｂの表示領域に表示された各種情報を読み取ることができる。
【００２８】
したがって、本実施形態の表示装置２によれば、バックライト１０は第１表示領域２ａにおいて液晶パネル２０Ａをその背面側から照明するバックライトとして機能する一方、第２表示領域２ｂでは液晶パネル２０Ｂをその背面側から照明するバックライトとして機能しており、二つの表示領域２ａ，２ｂを共に照明することができる。
また、本実施形態の表示装置２ではＬＥＤを備えた省電力タイプの光源装置１３を利用しているので、消費電力を少なくすることができる。また、１枚の導光板１２により２枚の液晶パネル２０Ａ、２０Ｂを照明する構造であるので、２枚の液晶パネル２０Ａ、２０Ｂを個々に照明するためのバックライトを２つ設けるよりも薄型化に寄与し、省電力化に寄与する。
【００２９】
ところで、以上説明した実施形態においては、光源装置１３として中間導光体１３Ａと発光素子１５からなる構成を採用したが、光源装置１３として冷陰極管等の直線状あるいは直管状の発光素子を中間導光体１３の位置に直接設けて光源としたり、ＬＥＤ等の点状発光素子を中間導光体１３の位置に直接複数個並べて設置し、これを光源として導光板１２に光を導入するようにしても良いのは勿論である。
また、図に示す実施形態においては液晶パネル２０Ａ、２０Ｂとして透過型の構造を例示したが、液晶パネル２０Ａの導光板１２側の基板２２に光透過性の反射層を形成し、バックライト１０を点灯させない場合に外部光により反射表示を行なうことができ、バックライト１０を点灯して反射層を介して液晶パネル２０Ａを裏面側から照明した場合に透過表示が可能な半透過型の液晶パネルとしても良い。勿論、液晶パネル２０Ｂの導光板１２側の基板２２に光透過性の反射層を形成し、液晶パネル２０Ｂを半透過型の液晶パネルとしても良い。ここで光透過性の反射層とは、反射層の厚さを規定して裏側からの光を一部透過できるようにしても良いし、反射層に微細な孔を画素毎にあけて裏側からの光の一部を透過して表示できるようにしても良い。
更に前述の実施形態においては両面表示可能な表示装置２を携帯電話機に適用した例について説明したが、この形態の表示装置２を両面表示可能なノート型パーソナルコンピュータあるいはＰＤＡ（パーソナルデジタルアシスタント）等の他の携帯型情報端末機器に適用できるのは勿論である。
【００３０】
【発明の効果】
以上、詳述したように本発明の照明装置によれば、光源からの光が入射される導光板の表裏側の両方にプリズム部を形成したので、光源からの光を導光板の表側と裏側の両方に照射することができる。よって１枚の導光板により表裏２方向側を照明することができる。この照明装置を実現させるには、導光板の表裏に形成するプリズム部として急斜面部と緩斜面部を備えた断面三角型のものを適用することで確実な照明ができる。
【００３１】
更に本発明の液晶表示装置によれば、導光板の表裏両面側にプリズム部を形成し、両面側に液晶パネルを配置したので、光源からの光を導光板の表側と裏側の両方に照射することができ、これによって導光板両面側の液晶パネルにそれぞれ光を照射することができる。従って１枚の導光板により２枚の液晶パネルの照明ができる。また、２枚の液晶パネルを用いた両面表示機能を発揮させることができる。
更に、光源からの入射光を１つの導光板で２つに分けるので、光源を有効活用して２つの表示形態のいずれも明るい表示とすることができるので、暗い場所においても明るい表示が得られ、省電力かつ小型化した両面表示形態の液晶表示装置とすることができる。
この照明による明るい表示を実現させるには、導光板の表裏に形成するプリズム部として急斜面部と緩斜面部を備えた断面三角型のものを適用することで確実な照明ができる。
また、１枚の導光板により透過型の液晶パネルあるいは半透過型の液晶パネルのいずれであっても裏側から照明することができ、透過表示あるいは半透過表示のいずれでも照明することができる。
【００３２】
本発明の携帯型情報端末機器は、先の構成の照明による両面表示可能な液晶パネルを備えた携帯型情報端末機器であるならば、１枚の導光板を有効に活用して照明可能な両面表示が可能な表示形態の携帯型情報端末機器を提供できる。
また、光源からの入射光を導光板で２つに分けるので、少ない光源を有効活用して２つの表示形態のいずれも明るい表示とすることができ、光源からの光の有効活用ができる。
【図面の簡単な説明】
【図１】本発明の第１実施形態に係る携帯電話機を拡開した状態の主表示面側と操作面側を示す斜視図である。
【図２】本発明の第１実施形態に係る携帯電話機を拡開した状態の副表示面側と外装面側を示す斜視図である。
【図３】同第１実施形態の携帯電話機に内蔵された表示装置の一例を示す部分断面図である。
【図４】同第１実施形態の表示装置の拡大断面図である。
【図５】同第１実施形態の表示装置に内蔵された照明装置要部の一例を示す斜視図である。
【図６】同照明装置に設けられた導光板の断面と該導光板を伝搬する伝搬光を示す説明図である。
【図７】同照明装置に設けられた導光板とバー導光体と光源を示す分解斜視図である。
【図８】同照明装置に設けられた導光板とバー導光体と光源を組み合わせてカバー部材により一体化した状態を示す斜視図である。
【図９】同照明装置に設けられる光源の一例を示す斜視図である。
【図１０】バックライトの両面側に一枚ずつ液晶パネルを設けた従来の両面表示構成の一例を示す簡略説明図である。
【図１１】１枚の液晶パネルの主表示と補助表示とを共に反射表示とした従来の両面表示構成の一例を示す簡略説明図である。
【図１２】一枚の液晶パネルの両面側に一枚ずつバックライトを設けた従来の両面表示構成の一例を示す簡略説明図である。
【符号の説明】
１…携帯電話機（携帯型情報端末機器）、１ｅ、１ｈ…表示窓、２…表示装置、２ａ…第１表示領域、２ｂ…第２表示領域、１０…バックライト（照明装置）、１２…導光板、１２ａ…入射面（側端面）、１２ｃ、１２ｄ…プリズム面（出射面）、１３…光源装置、１３Ａ…中間導光体（バー導光体）、１４…プリズム部、１４ａ…緩斜面部、１４ｂ…急斜面部、１５…光源（発光素子）、１９Ａ、１９Ｂ…光、２０Ａ、２０Ｂ…液晶パネル、２３…液晶層。
【図１】
2004127622.tif 000003
【図２】
2004127622.tif 000004
【図３】
2004127622.tif 000005
【図４】
2004127622.tif 000006
【図５】
2004127622.tif 000007
【図６】
2004127622.tif 000008
【図７】
2004127622.tif 000009
【図８】
2004127622.tif 000010
【図９】
2004127622.tif 000011
【図１０】
2004127622.tif 000012
【図１１】
2004127622.tif 000013
【図１２】
2004127622.tif 000014